(57)【要約】【課題】複数枚のスラットを一連状に連結して形成されるシャッターカーテンにおいて、ガイドレールからの抜け止めをする抜け止め凹部の強度を高めるように構成する。【解決手段】隣接スラット２同士の連結部であるインターロック結合部に、ガイドレール３の屋外側の溝側片３ａに設けられるモヘアポケットのガイド溝奥側の突条９ａに係止する抜け止め凹部６と、隣接スラット２同士の位置規制をする位置規制部Ｐを設けるにあたり、位置規制部Ｐは、抜け止め凹部６よりも左右方向外端部側に形成され、抜け止め凹部６の突条９ａとの係止部となる左右方向外側端縁６ｂが、上下側抜け止め用打ち抜き孔４ｃ、５ｃの左右方向外側端縁４ｅ、５ｅによる二枚の板材で構成されるようにする。【選択図】図２
2008014072.tif 000002
【特許請求の範囲】
【請求項１】
複数枚のスラットを一連状に連結して形成されるシャッターカーテンの左右両端部を、屋内外一対の溝側片を備えたガイドレールに遊嵌してなる建築用シャッターにおいて、前記ガイドレールの屋内外少なくとも一方の溝側片に、シャッターカーテン側に向けて突出する突条を形成する一方、スラットの連結部に、シャッターカーテンの撓みに伴いガイドレールの突条に係止して、シャッターカーテンのガイドレールからの抜け止めをする抜け止め凹部と、隣接スラット同士の位置規制をする位置規制部とをそれぞれ形成するにあたり、位置規制部は、抜け止め凹部よりも左右方向外端部側に形成されている建築用シャッター。
【請求項２】
スラットは、上下縁部に連結片が形成され、上側スラットの下側連結片と下側スラットの上側連結片とを内外積層状に連結するものとし、抜け止め凹部は、上下側連結片に連通状に形成された抜け止め用打ち抜き孔で構成され、積層方向内側の連結片の抜け止め用打ち抜き孔の左右方向内側端縁位置は、積層方向外側の連結片の抜け止め用打ち抜き孔の左右方向内側端縁位置よりも内側に偏寄して形成されている請求項１に記載の建築用シャッター。
【請求項３】
位置規制部は、積層方向外側に位置する一方の連結片に開設した位置規制用打ち抜き孔の左右方向外端部を押し潰すことにより積層方向内側に変位した左右方向外側端縁と、他方の連結片の左右方向外端部を切り落とすことにより形成された切り落とし端縁との当接により構成されている請求項２に記載の建築用シャッター。
【請求項４】
複数枚のスラットを一連状に連結して形成されるシャッターカーテンの左右両端部を、屋内外一対の溝側片を備えたガイドレールに遊嵌してなる建築用シャッターにおいて、前記ガイドレールの屋内外少なくとも一方の溝側片に、シャッターカーテン側に向けて突出する突条を形成する一方、スラットの連結部に、スラットの撓みに伴いガイドレールの突条に係止して、スラットのガイドレールからの抜け止めをする抜け止め凹部と、隣接スラット同士の位置規制をする位置規制部とをそれぞれ形成するにあたり、位置規制部は、抜け止め凹部よりも左右方向外端部側に形成されている建築用シャッターにおけるスラット。
【発明の詳細な説明】
【技術分野】
【０００１】
本発明は、建物の出入り口部等の開口部に取付けられる建築用シャッターおよび建築用シャッターにおけるスラットの技術分野に属するものである。
【背景技術】
【０００２】
一般に、この種建築用シャッターは、シャッターカーテンをガイドレールのガイド溝でガイドしながら移動させることで開口部の開閉をするようになっているが、この場合に、シャッターカーテンが台風襲来時等において発生する強風を受けてガイドレールから抜け出ないよう耐風機構を設けることが要求されることがある。そこで従来、シャッターカーテンを構成するスラットの端部に耐風フックを設け、該耐風フックをガイドレールに設けた係止部に係止することで抜け止めするようにしていた。ところがこのものは、耐風フックが別部材として必要になるため部品点数が多くなるだけでなく、シャッターカーテンを巻き取ったとき、耐風フックが邪魔になって好ましい巻き形状になることを阻害し、さらには該耐風フックをスラットに取り付ける工程が必要になる等の問題がある。
【０００３】
そこでスラットのガイドレールに呑み込まれる左右方向端部に打ち抜き孔を開設することで構成される抜け止め凹部を形成し、スラットの撓みに伴い、前記抜け止め凹部の孔端縁がガイドレールの内面に突設するモヘアポケットに係止することにより、スラットのガイドレールからの抜け止めをするように構成したものが知られている。
【特許文献１】特許第３４７９７４１号公報
【発明の開示】
【発明が解決しようとする課題】
【０００４】
この場合に、前記従来のものにおいて、抜け止め凹部は、スラット同士を連結するインターロック結合部において形成されており、該インターロック結合部には、抜け止め凹部とともに隣接スラット同士を位置規制するための位置規制部が形成されている。そして、このものでは、インターロック結合部の積層方向外側に位置する下側インターロック片の左右両端部に矩形状の打ち抜き孔を形成し、該打ち抜き孔を抜け止め凹部とし、該抜け止め凹部の左右方向内側端縁部を押し潰し、該押し潰し部を位置調整部とするように構成されている。このため、インターロック結合部の積層方向内側に位置する上側インターロック片の左右両端部には、押し潰し部に左右方向内側から当接するための切り落とし端縁を構成するべく切り落とし部を形成するが、該切り落とし部は、前記抜け止め凹部よりも左右方向内側の部位から外端に向けて形成しなければならないため、抜け止め凹部形成部位において、上下側インターロック片同士が積層状に連結されることはなく、下側インターロック片にのみ抜け止め凹部が形成されることになる。そして、シャッターカーテンの抜け止め時において、一枚の板材に形成された抜け止め凹部の孔縁がガイドレールの突条に係止することになって、係止強度を充分確保できないという問題がある。
さらには、位置規制部は、抜け止め凹部の左右方向内側縁部を押し潰すことにより構成されるが、切り落とし端縁が当接する部位は、抜け止め凹部としての打ち抜き孔の左右方向内側縁部よりも内側であって、前記押し潰すことにより積層方向内側に傾斜する傾斜面に当接する構成であるので、位置規制部の傾斜状態によって、切り落とし部端縁部との当接箇所を精度良く設定することができず、上下スラット同士の位置規制（位置決め、寸法管理）が難しいという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、複数枚のスラットを一連状に連結して形成されるシャッターカーテンの左右両端部を、屋内外一対の溝側片を備えたガイドレールに遊嵌してなる建築用シャッターにおいて、前記ガイドレールの屋内外少なくとも一方の溝側片に、シャッターカーテン側に向けて突出する突条を形成する一方、スラットの連結部に、シャッターカーテンの撓みに伴いガイドレールの突条に係止して、シャッターカーテンのガイドレールからの抜け止めをする抜け止め凹部と、隣接スラット同士の位置規制をする位置規制部とをそれぞれ形成するにあたり、位置規制部は、抜け止め凹部よりも左右方向外端部側に形成されている建築用シャッターである。
請求項２の発明は、スラットは、上下縁部に連結片が形成され、上側スラットの下側連結片と下側スラットの上側連結片とを内外積層状に連結するものとし、抜け止め凹部は、上下側連結片に連通状に形成された抜け止め用打ち抜き孔で構成され、積層方向内側の連結片の抜け止め用打ち抜き孔の左右方向内側端縁位置は、積層方向外側の連結片の抜け止め用打ち抜き孔の左右方向内側端縁位置よりも内側に偏寄して形成されている請求項１に記載の建築用シャッターである。
請求項３の発明は、位置規制部は、積層方向外側に位置する一方の連結片に開設した位置規制用打ち抜き孔の左右方向外端部を押し潰すことにより積層方向内側に変位した左右方向外側端縁と、他方の連結片の左右方向外端部を切り落とすことにより形成された切り落とし端縁との当接により構成されている請求項２に記載の建築用シャッターである。
請求項４の発明は、複数枚のスラットを一連状に連結して形成されるシャッターカーテンの左右両端部を、屋内外一対の溝側片を備えたガイドレールに遊嵌してなる建築用シャッターにおいて、前記ガイドレールの屋内外少なくとも一方の溝側片に、シャッターカーテン側に向けて突出する突条を形成する一方、スラットの連結部に、スラットの撓みに伴いガイドレールの突条に係止して、スラットのガイドレールからの抜け止めをする抜け止め凹部と、隣接スラット同士の位置規制をする位置規制部とをそれぞれ形成するにあたり、位置規制部は、抜け止め凹部よりも左右方向外端部側に形成されている建築用シャッターにおけるスラットである。
【発明の効果】
【０００６】
請求項１の発明とすることにより、抜け止め凹部が左右方向外側突条に係止してシャッターカーテンの抜け止めをする場合に、係止強度を大きくすることができる。
請求項２の発明とすることにより、シャッターカーテンが抜け止めされる状態から通常状態に復帰する作動を円滑に行える。
請求項３の発明とすることにより、シャッターカーテンの左右位置の寸法管理を精度良く行える。
請求項４の発明とすることにより、抜け止め凹部が左右方向外側突条に係止してスラットを抜け止めする場合に、係止強度を大きくすることができる。
【発明を実施するための最良の形態】
【０００７】
次に、本発明の第一の実施の形態を図面に基づいて説明する。
図面において、１は建築用シャッターを構成するシャッターカーテンであって、該シャッターカーテン１は、複数枚のスラット２を一連状にインターロック結合することで構成され、開口部の左右に立設したガイドレール３に形成されるガイド溝に左右両端部が呑み込まれた（嵌挿された）状態で組み付けられる。そして、シャッターカーテン１は、電動シャッターの場合には図示しない電動開閉機の駆動に基づいてガイドレール３に案内されながら開閉作動するようになっていること等は何れも従来通りであるので、その詳細については省略する。
【０００８】
前記スラット２は、左右方向に長い長尺体であってロールフォーミングによって形成されるものであるが、上下縁部には側面視ロール形状の上側インターロック片（本発明の上側連結片に相当する）４、下側インターロック片（本発明の下側連え欠片に相当する）５とがそれぞれ形成されており、上側インターロック片４を下側インターロック片５に左右方向からスライド嵌入することで、上側インターロック片４と下側インターロック片５とが内外積層状に連結され、スラット２同士の揺動自在な連結部（インターロック結合部）が形成されるように設定されている。因みに、本実施の形態のインターロック結合部は、屋外側においては下側インターロック片５が積層方向外側に位置し、屋内側においては上側インターロック片４が積層方向外側に位置する関係となるように連結されている。
【０００９】
前記上側インターロック片４には、その左右両端部が切り落とされた切り落とし部４ａが形成され、該切り落とし部４ａにおけるスラット２の左右方向外側端縁が切り落とし端縁４ｆに設定されている。一方、下側インターロック片５の左右両端部には、前記切り落とし端縁４ｆの左右端位置よりも僅かに左右方向外側位置から該左右端位置を越えた左右方向内側位置までを打ち抜いた位置規制用打ち抜き孔５ａが形成されており、該位置規制用打ち抜き孔５ａよりも左右方向外端部におけるロール形状を押し潰すことにより、下側インターロック片５の左右両端部に押し潰し部５ｂが形成され、位置規制用打ち抜き孔５ａの押し潰された左右方向外側端縁５ｆが、押し潰されていない左右方向内側端縁５ｇに対して変位するように設定されている。そして、上下側インターロック片４、５同志をスライド嵌合させてスラット２同士をインターロック結合した後、下側インターロック片５の位置規制用打ち抜き孔５ａの左右方向外端を押し潰すことにより、該押し潰された左右方向外側端縁５ｆに、上側インターロック片４のロール形状が変形していない切り落とし端縁４ｆが突き当たり、隣接スラット２同士の左右方向の位置規制（抜け止め、位置決め）がなされるように設定されており、これら位置規制用打ち抜き孔５ａの左右方向外側端縁５ｆと、上側インターロック片４の切り落とし端縁４ｆとの当接部位が本発明の位置規制部Ｐに相当している。そして、位置規制部Ｐをこのように構成することにより、切り落とし端縁４ｆと打ち抜き部５ａの左右方向外側端縁５ｆとの切断端縁同士（エッジ同士）の突き当てに基づいて上下側インターロック片４、５同士の位置規制がなされることになって、寸法精度の高い位置規制を行うことができ、各スラット２同士が位置ズレなく連結されたシャッターカーテン１を提供できるように構成されている。
【００１０】
さらに上下側インターロック片４、５には、前記位置規制部Ｐよりも左右方向内側に位置して抜け止め用打ち抜き孔４ｃ、５ｃが打ち抜き形成されており、これら抜け止め用打ち抜き孔４ｃ、５ｃが本発明の抜け止め凹部６を構成しているが、このように、位置規制部Ｐを、抜け止め凹部６よりも左右方向外端側に位置して形成することにより、切り落とし端縁４ｆよりも左右方向内端側に抜け止め凹部６を形成することができ、これによって、抜け止め凹部６を上下側インターロック片４、５に対して形成することができるように構成されている。
前記上側インターロック片４に形成される上側抜け止め用打ち抜き孔４ｃは、左右方向内外両端縁４ｄ、４ｅが上側インターロック片４に対して直角状に打ち抜かれたものになっている。これに対し、下側インターロック片５に形成される下側抜け止め用打ち抜き孔５ｃは、左右方向内側端縁５ｄは内側ほど浅くなった傾斜状に打ち抜かれ、外側端縁５ｅは直角状に打ち抜かれている。そしてこれら上下側抜け止め用打ち抜き孔４ｃ、５ｃは、外側端縁４ｅ、５ｅ同士は左右方向同一位置で打ち抜かれているが、内側端縁４ｄ、５ｄについては、インターロック結合部の屋外側において、積層方向外側となる下側抜け止め用打ち抜き孔５ｃの内側端縁５ｄが、内側となる上側抜け止め用打ち抜き孔４ｃの内側端縁４ｄよりも左右方向外側に位置する寸法設定で打ち抜かれている。このように打ち抜くことにより、上側抜け止め用打ち抜き孔４ｃが下側抜け止め用打ち抜き孔５ｃに対して左右方向内側に長い設定になっており、前記位置規制がなされた状態で隣接スラット２同士を組み込んだ場合に、抜け止め凹部６は、上下側抜け止め用打ち抜き孔４ｃ、５ｃの内側端縁４ｄが内側端縁５ｄに隠れる位置関係となるように設定されている。これによって、抜け止め凹部６は、左右方向内側端縁６ａについては、傾斜状端縁となり、下側抜け止め用打ち抜き孔５ｃの左右方向内側端縁５ｄにより形成される一枚の板材により構成されるが、左右方向外側端縁６ｂについては、直角状端縁となり、上下側抜け止め用打ち抜き孔４ｃ、５ｃ両者の外側端縁４ｅ、５ｅによる二枚の板材により構成されるように設定されている。
【００１１】
一方、前記ガイドレール３は、屋内外方向に対向する一対の溝側片３ａを備え、左右方向内側が開口した略コ字形の溝型材で構成されているが、その開口部３ｂには、モヘア７を挿入組み込みするためのモヘアポケット８、９がレール長方向に長く形成されている。ここで、本実施の形態のモヘアポケット８、９のうち、屋外側、即ち、抜け止め凹部６に対向する側の溝側片３ａに形成されるモヘアポケット９は、ガイドレール３のガイド溝方向に並列する一対の突条９ａ、９ｂを備えて構成されるが、溝奥側 （左右方向外側）の突条９ａの突出先端にはシャッターカーテン１側（屋内側）に向けて突出して背高状になった係止部９ｃが形成されている。
【００１２】
そして、シャッターカーテン１の左右両端部がガイドレール３に遊嵌した通常の状態では、前記抜け止め凹部６はモヘアポケット９よりもガイド溝の溝奥側（左右方向外方）に位置している（図６（Ａ）参照）。そして、強風を受けてシャッターカーテン１が屋外側に撓んだ場合、該シャッターカーテン１は傾斜した状態でガイドレール３のガイド溝から抜け出る方向（左右方向内側）に移動し、抜け止め凹部６がモヘアポケット９位置に達すると、上下側抜け止め用打ち抜き孔４ｃ、５ｃ両者の外側端縁４ｅ、５ｅ（二枚の板材）により構成される左右方向外側端縁６ｂが、ガイド溝奥側の突条９ａに突設の係止部９ｃに係止（図６（Ｂ）参照）して、シャッターカーテン１の抜け止めをするように設定されており、このとき、抜け止め凹部６の左右方向外側端縁６ｂ（外側端縁４ｅ、５ｅ）が、二枚の板材となって突条９ａに係止することにより、抜け止め負荷を二枚の板材で受けることになって、抜け止め凹部６の係止強度を確保できるように構成されている。
このとき、抜け止め凹部の溝底６ｃの長さＸは、係止部９ｃの突出先端からガイド溝開口側の９ｂの突出先端までの長さＹよりも長くなる設定になっており、これによって、抜け止め凹部６は、左右方向外側端縁６ｂが係止部９ｃに係止した抜け止め状態において、ガイド溝開口側突条９ｂの突出先端が係止凹部溝底６ｃが離間する状態（図６（Ｂ）参照）から当接した大きな傾斜姿勢（図６（Ｃ）参照）に至るまでは、左右方向外側端縁６ｂが係止部６ｃに確実に係止する状態での抜け止めがなされるように設定されている。
【００１３】
そして、シャッターカーテン１に吹き付ける強風が止んで、前記係止状態から通常の状態に戻る場合では、抜け止め凹部６の傾斜状端縁となる左右方向内側端縁６ａが、モヘアポケット９のガイド溝開口側（左右方向内側）に位置する突条９ｂに干渉しながらガイド溝の溝奥側に変位することになるが、このものにおいて、下側抜け止め用打ち抜き孔５ｃの方が上側抜け止め用打ち抜き孔４ｃよりも長く形成されてるため、仮令加工誤差や組み込み誤差があったとしても、抜け止め凹部６の左右方向内側端縁６ａは、下側抜け止め用打ち抜き孔５ｃの左右方向外側端縁５ｅでのみで構成され、インターロック結合部における積層方向内側に位置する上側抜け止め用打ち抜き孔４ｃの左右方向外側端縁４ｅがガイド溝開口側の突条９ｂに干渉することがないように構成されている。これによって、シャッターカーテン１の通常状態への復帰では、抜け止め凹部６の一枚板状の左右方向内側端縁６ａの傾斜状面に基づいて行うことになって、円滑な復帰作動を行えるように設定されている。
【００１４】
１０は、複数のスラット２における適数枚の左右方向両端に設けられた端部部材であって、該端部部材１０は樹脂材で形成されており、左右該端部に一体形成される膨出部１０ａを備えて構成されている。そして、端部部材１０は、膨出部１０ａがスラット２の左右両端縁よりも突出するように配設されており、スラット２の左右何れか一方の端部（端部部材膨出部１０ａ）がガイド溝の溝底に当接した状態で、スラット２の他方に形成される抜け止め凹部６がガイドレール３から外部（開口部）に露出することがないよう、位置調整をした状態で取り付けられている。
【００１５】
叙述の如く構成された本発明の実施の形態において、シャッターカーテン１が強風を受けて屋外側に撓んだ場合、抜け止め凹部６の左右方向外側端縁６ｂがモヘアポケット９のガイド溝奥側の突条９ａに突設した係止部９ｃに係止してシャッターカーテン１のガイドレール３からの抜け止めをする。この場合に、スラット２のインターロック結合部に形成され、切り落とし端縁４ｆと位置規制用打ち抜き孔５ａとで構成される位置規制部Ｐと、抜け止め凹部６とは、左右方向外端側に位置規制部Ｐが設けられ、抜け止め凹部６は位置規制部Ｐの内側に設ける構成としたので、切り落とし部４ａは抜け止め凹部６よりも左右方向外側部位を切り落とすことによりに形成すればよいことになり、これによって、抜け止め凹部６を上下側インターロック片４、５に連通状に形成した抜け止め用打ち抜き孔４ｃ、５ｃとすることができる。この結果、抜け止め凹部６の左右方向外側端縁６ｂを、上下側抜け止め用打ち抜き孔４ｃ、５ｃの左右方向外側端縁４ｅ、５ｅによる板材二枚で構成することができ、抜け止め凹部６のガイド溝奥側の突条９ａとの係止における負荷を二枚の板材で構成された左右方向外側端縁６ｂにより受けることができることになり、係止強度が大きく確保されて、信頼性の高い抜け止め構造とすることができる。
【００１６】
そのうえ、本発明が実施されたものにあっては、抜け止め凹部６を構成する上側抜け止め用打ち抜き孔４ｃが下側抜け止め用打ち抜き孔５ｃに対して左右方向内側に長い設定になっており、上側抜け止め用打ち抜き孔４ｃの左右方向内側端縁４ｄが下側抜け止め用打ち抜き孔５ｃの左右方向内側端縁５ｄから臨む（露出する）ことがないように構成されているので、抜け止め凹部６が前記突条９ａと係止した状態から通常状態に復帰する場合に、傾斜状の左右方向内側端縁５ｄで構成される抜け止め凹部６の左右方向内側端縁６ａが、突条９ａ、９ｂに引っ掛かるような不具合が生じるようなことがなく、円滑な復帰作動を行うことができる。
【００１７】
さらに、このものでは、位置規制部Ｐは、位置規制用打ち抜き孔５ａの左右方向外側端縁５ｆと、上側インターロック片４の切り落とし端縁４ｆとの当接として、切断端縁同士（エッジ同士）の突き当てとなるように構成したので、寸法精度の高い位置規制を行うことができて、シャッターカーテン１の寸法管理が容易になる。
【００１８】
尚、本発明は前記実施の形態に限定されないことは勿論であって、スラットに形成される抜け止め凹部とガイドレールに形成される突条との係止は、つぎのような構成であってもよい。
図７（Ａ）に示される第二の実施の形態において、ガイドレール１１の屋外側の溝側片１１ａに形成されるモヘアポケット１２は、ガイド溝奥側突条１２ａとガイド溝開口側突条１２ｂとが同じ突出量に形成されている。そして、抜け止め凹部６の左右方向外側端縁６ｂは、ガイド溝開口側突条１２ｂに係止する構成となっており、この場合でも、抜け止め凹部６とガイド溝開口側突条１２ｂとの係止強度を大きく確保できるという効果を得ることができるが、このものでは、抜け止め凹部６の溝底６ｃの長さを、必ずしもモヘアポケット１２の左右方向長さよりも長く形成する必要はない。
さらに、図７（Ｂ）に示される第三の実施の形態では、ガイドレール１３の屋外側の溝側片１３ａに形成されるモヘアポケット１４がガイド溝奥側に偏寄して形成され、溝側片１３ａのガイド溝開口側の端部に突条１３ｂが突出形成され、該突条１３ｂに、抜け止め凹部６の左右方向外側端縁６ｂが係止するように構成されている。そして、このものでも、抜け止め凹部６の溝底６ｃの長さを、必ずしもモヘアポケット１２の左右方向長さよりも長く形成する必要はなく、抜け止め凹部６と突条１３ｂとの係止強度を大きく確保できるという効果を得ることができる。
【図面の簡単な説明】
【００１９】
【図１】建築用シャッターの概略正面図である。
【図２】シャッターカーテンの部分正面図である。
【図３】シャッターカーテンの部分側面図である。
【図４】（Ａ）、（Ｂ）、（Ｃ）、（Ｄ）はスラットの平面図、正面図、底面図、側面図である。
【図５】（Ａ）、（Ｂ）、（Ｃ）はインターロック結合部の拡大側面図、係合凹部部位の拡大側面断面図、インターロック結合部分の拡大正面図である。
【図６】シャッターカーテンがガイドレールに嵌合した状態を示すものであって、（Ａ）は通常状態を平面視した説明図、（Ｂ）、（Ｃ）はシャッターカーテンが撓んで抜け止めされている状態を平面視した説明図、（Ｄ）は要部の拡大平面図である。
【図７】図７（Ａ）、（Ｂ）はそれぞれ第二の実施の形態を説明する平面図、第三の実施の形態を説明する平面図である。
【符号の説明】
【００２０】
１    シャッターカーテン
２    スラット
３    ガイドレール
４    上側インターロック片
４ｃ    上側抜け止め用打ち抜き孔
５    下側インターロック片
５ａ    位置規制用打ち抜き孔
５ｃ    下側抜け止め用打ち抜き孔
６    係合凹部
６ａ    左右方向内側端縁
６ｂ    左右方向外側端縁
【図１】
2008014072.tif 000003
【図２】
2008014072.tif 000004
【図３】
2008014072.tif 000005
【図４】
2008014072.tif 000006
【図５】
2008014072.tif 000007
【図６】
2008014072.tif 000008
【図７】
2008014072.tif 000009